(57)【要約】【課題】複数のカメラ機器をた易く展示し、且つ元の場所に簡単に戻すことができる台座及び該台座用の取付け具を提供する。【解決手段】展示用台座1は、展示すべき機器2に対応して設置個所である複数の筒体3、3aを配備し、各筒体3、3aの上面には、機器2の下面に取り付けられた取付け具4に着脱自在に嵌まる凹部30を開設している。該凹部30は取付け具4に対応して、上面形状が多角形に形成されている。複数の筒体3、3aは、前後２列に並べられ、前側の列を構成する筒体3は、後側の列を構成する筒体3aよりも低く形成されている。【選択図】図１
2010051427.tif 000002
【特許請求の範囲】
【請求項１】
機器を設置する設置個所の上面には、機器の下面に取り付けられた取付け具に着脱自在に嵌まる凹部を開設し、該凹部は機器の設置角度を変更可能とすべく、上面形状が多角形に形成された台座。
【請求項２】
設置個所は上面に凹部を形成した筒体であり、該凹部は取付け具に対応して、上面形状が前記多角形に形成された、請求項１に記載の台座。
【請求項３】
複数の筒体は、少なくとも前後２列に並べられ、前側の列を構成する筒体は、後側の列を構成する筒体よりも低く形成された、請求項２に記載の台座
【請求項４】
後端部に膨らみを外側に向けた円弧壁と、該円弧壁との間にて紙片を挟む挟み具を形成した、請求項１乃至３の何れかに記載の台座。
【請求項５】
機器を設置する設置個所を配備し、設置個所の上面に、凹部を開設した台座に嵌まる機器用取付け具であって、
機器の下面に装着される軸体と、凹部に着脱自在に嵌まる本体とを具えた機器用取付け具。
【請求項６】
本体は多角形である、請求項５に記載の機器用取付け具。
【発明の詳細な説明】
【技術分野】
【０００１】
本発明は、下面に孔を開設した機器を多数並べて展示する際に用いる展示用台座、及び該台座に嵌まる機器用取付け具に関する。具体的には下面に三脚用のネジ孔を開設したカメラ機器を多数並べて展示する際に用いる展示用台座、及びカメラ機器に取り付けられて該台座に嵌まる取付け具に関する。
【背景技術】
【０００２】
従来からデジタルカメラ等のカメラ機器では、下面に三脚用のネジ孔を開設したものがある。該カメラ機器を三脚に取り付ける螺合具として、図６に示すものが提案されている(特許文献１参照)。この螺合具(７)は、カメラ機器(２)の下面に形成されたネジ孔(20)に螺合するネジ(70)と、三脚(８)の下面に接する大径操作部(71)と、該大径操作部(71)の下側に位置する小径操作部(72)を一体に具えている。三脚(８)には透孔(80)が開設されている。
カメラ機器(２)を三脚(８)に取り付けるには、機器(２)を透孔(80)に被さるように三脚(８)上に載置し、透孔(80)の下側から、螺合具(７)のネジ(70)をネジ孔(20)に挿入する。小径操作部(72)を指で回し、軽いトルクで、螺合具(７)を締め付ける。次に、工具にて大径操作部(71)を回して強いトルクで締め付け、カメラ機器(２)を三脚(８)に固定する。
【０００３】
【特許文献１】特開平１１−７２１０９号公報
【発明の開示】
【発明が解決しようとする課題】
【０００４】
例えば、色を違えた同一機種のカメラ機器を多数並べて、店頭又は展示会会場等で陳列することがある。従前では、一台毎に並べていたが、並べる手間が掛かる、また、店頭又は展示会会場に来場した客が、機器(２)を手に取って陳列場所から動かし、操作性等を確認してから元の位置に返す際に、元の状態に設置する手間が掛かる。
出願人は、従来から存在する上記の螺合具(７)のような、カメラ機器(２)のネジ孔(20)に嵌める取付け具を用いて、複数のカメラ機器をた易く展示し、且つ元の場所に簡単に戻すことができる台座を着想した。
本発明の目的は、複数の機器をた易く展示し、且つ元の場所に簡単に戻すことができる台座及び該台座用の取付け具を提供することにある。
【課題を解決するための手段】
【０００５】
展示用台座(１)は、展示すべき機器(２)に対応して設置個所である複数の筒体(３)(３)を配備し、各筒体(３)の上面には、機器(２)の下面に取り付けられた取付け具(４)に着脱自在に嵌まる凹部(30)を開設している。該凹部(30)は取付け具(４)に対応して、機器(２)の設置角度を変更可能とすべく、上面形状が多角形に形成されている。
【発明の効果】
【０００６】
１．多数の機器(２)を並べて展示するには、機器(２)の下面に取り付けられた取付け具(４)を、展示用台座(１)の筒体(３)の凹部(30)に上から嵌めればよい。即ち、取付け具(４)を凹部(30)に挿入するだけで、多数の機器(２)を並べて展示することができるから、複数の機器(２)をた易く展示することができる。また、機器(２)を展示用台座(１)から取り出した後にも、元の場所に簡単に戻すことができる。
２．筒体(３)の凹部(30)は、取付け具(４)に対応して、上面形状が多角形に形成されている。従って、取付け具(４)を介して凹部(30)に嵌まった機器が、展示中に不用意に回転して向きが変わる虞れはない。また、凹部(30)の上面形状が多角形であるから、機器(２)の設置角度が変更可能である。
【発明を実施するための最良の形態】
【０００７】
以下、本発明の一実施例を図を用いて、詳述する。
図１は、本例に係わる展示用台座(１)と、該台座(１)に取り付けられる複数のカメラ機器(２)の斜視図であり、図２は図１の平面図である。図３は、図２をＡ方向から見た側面図である。展示用台座(１)は、店頭又は展示会会場等でカメラ機器を陳列するのに用いられ、以下の記載では図１の手前側を前方、逆向きを後方とする。
カメラ機器(２)は、デジタルカメラであって、上端部に鏡筒(21)を具え、側面に液晶パネル(22)を上下回動自在に設けている。機器(２)の下面には、従来と同様に三脚用のネジ孔(20)が開設され、該ネジ孔(20)に合成樹脂製の取付け具(４)が螺合する。この取付け具(４)の詳細は後記する。
【０００８】
展示用台座(１)は、平板(10)上に、機器(２)の設置個所である複数の筒体(３)(３a)を配備して合成樹脂から形成され、この筒体(３)の数は展示用台座(１)上にて展示すべき機器の数と一致する。図１では、筒体(３)(３a)が６つであるがこれに限定されない。また、設置個所である筒体(３)は１つでもよい。
各筒体(３)(３a)は上面に上面形状が六角形の凹部(30)を形成し、前記取付け具(４)は該凹部(30)に嵌まる。即ち、取付け具(４)は凹部(30)に対応して断面が六角形に形成される。ここで、凹部(30)は一般に有底の凹みを指すが、これに限らず、例えば筒体(３)を上下に貫いた貫通孔も含む。
【０００９】
多数の機器(２)(２)を並べて展示するには、機器(２)の下面に取り付けられた取付け具(４)を、展示用台座(１)の筒体(３)の凹部(30)に上から嵌めればよい。即ち、取付け具(４)を凹部(30)に挿入するだけで、多数の機器(２)(２)を並べて展示することができるから、複数の機器(２)(２)をた易く展示することができる。また、機器(２)を展示用台座(１)から取り出した後にも、元の場所に簡単に戻すことができる。
また、凹部(30)及び取付け具(４)が断面六角形に形成されていることにより、凹部(30)に嵌まった機器(２)が、展示中に不用意に回転して向きが変わる虞れはない。また、機器(２)を６０度づつ角度を違えて設置することができる。尚、凹部(30)及び取付け具(４)の断面は六角形に限定されず、多角形であればよい。
【００１０】
筒体(３)(３a)は、前後２列に並べられ、前側の列を構成する筒体(３)は、後側の列を構成する筒体(３a)よりも低く形成されている。仮に全ての筒体(３)を同じ高さに形成すると、機器(２)が並べられた展示用台座(１)を正面から見た場合、後側の列の筒体(３a)に載置された機器(２)は、前側の列の筒体(３)に載置された機器(２)に遮られて見難い問題がある。従って、前側の列を構成する筒体(３)を、後側の列を構成する筒体(３a)よりも低く形成して、後側の列に配備された機器(２)を見易くしている。
【００１１】
平板(10)の前端部には、表示板(11)が設けられ、該表示板(11)には機器のメーカー名、ブランド又は商標が表示される。平板(10)の後端部には、膨らみを後方外側に向けた円弧壁(12)が立設しており、該円弧壁(12)の外側に、円弧壁(12)と隙間を設けた３つの挟み具(13)(13)(13)が設けられている。尚、挟み具(13)の数は３つに限定されない。
図４は、円弧壁(12)と１つの挟み具(13)の拡大平面図である。挟み具(13)は、円弧壁(12)よりも曲率半径の大きな小壁(14)と、該小壁(14)から円弧壁(12)に向けて突出した突起(15)とから構成され、該突起(15)の先端と円弧壁(12)の後面との間に形成される隙間に、機器(２)の機能説明等が記載された紙片(16)が嵌まる。紙片(16)が円弧壁(12)に沿って稍丸められて、３つの挟み具(13)(13)(13)に亘って設けられる。
紙片(16)を稍丸めて、円弧壁(12)と挟み具(13)の隙間に挟むから、紙片(16)は薄手のものを用いることができる。これにより、紙片(16)のコストを下げることができる。
【００１２】
図５(a)は、取付け具(４)と凹部(30)の関係を示す図、図５(b)は、取付け具(４)の平面図である。取付け具(４)は断面が六角形で、下向きに細くなるように、周面がテーパ付けられて形成された本体(40)と、該本体(40)から上向きに突出したネジ軸(41)とから構成される。本体(40)とネジ軸(41)は、合成樹脂を金型成形して一体に形成され、本体(40)の周面が下向きに細くなるように傾いているのは、凹部(30)への挿入のし易さ及び金型成形時の型抜き易さを考慮したのである。
取付け具(４)が凹部(30)に嵌まった状態で、本体(40)の周面は、凹部(30)の周面と面接触するが、本体(40)の下面は、凹部(30)の下面とは隙間が空いている。仮に、本体(40)の下面が凹部(30)の下面に接すると、本体(40)が浮き上がり、機器(２)全体がグラ付く虞れがあるから、本体(40)の下面と、凹部(30)の下面との間に隙間を設けている。
本体(40)は中空であっても中実であってもよい。また、取付け具(４)のネジ軸(41)が、機器(２)のネジ孔(20)に螺合するとしたが、取付け具(４)にネジを形成していない丸軸を設け、該軸を機器(２)のネジ孔(20)に圧入してもよい。
【００１３】
上記実施例の説明は、本発明を説明するためのものであって、特許請求の範囲に記載の発明を限定し、或は範囲を減縮する様に解すべきではない。又、本発明の各部構成は上記実施例に限らず、特許請求の範囲に記載の技術的範囲内で種々の変形が可能であることは勿論である。
上記構成に代えて、筒体(３)上に突起を設け、該突起を機器(２)のネジ孔(20)に嵌めることも考えられる。しかし、これでは、機器(２)を展示用台座(１)から取り出した客から、ネジ孔(20)が見えないから、スムーズに機器(２)を元の場所に戻すことができない。従って、機器(２)に外側から見える取付け具(４)を螺合して、該取付け具(４)を筒体(３)の凹部(30)に嵌めている。
【図面の簡単な説明】
【００１４】
【図１】本例に係わる展示用台座と、該台座に取り付けられる複数のカメラ機器の斜視図である。
【図２】図１の平面図である。
【図３】図２をＡ方向から見た側面図である。
【図４】円弧壁と１つの挟み具の拡大平面図である。
【図５】(a)は、取付け具と凹部の関係を示す図、(b)は、取付け具の平面図である。
【図６】カメラ機器を三脚に取り付ける従来の螺合具を示す図である。
【符号の説明】
【００１５】
(１)  台座
(２)  機器
(３)  筒体
(４)  取付け具
(30)  凹部
【図１】
2010051427.tif 000003
【図２】
2010051427.tif 000004
【図３】
2010051427.tif 000005
【図４】
2010051427.tif 000006
【図５】
2010051427.tif 000007
【図６】
2010051427.tif 000008